(57)【要約】      （修正有）【課題】蒸気および蒸気以外の加熱手段で加熱ができる加熱調理器において、蒸し器を使うことなく簡単に蒸し調理ができる構造を提供する。【解決手段】食品３５を加熱する加熱室と、蒸気を発生させる蒸気発生装置と、加熱室２内に設けられ、蒸気発生装置から発生した蒸気を導く蒸気通路３２と、蒸気通路３２に近接し、加熱室底面と隙間を有して食品３５を載置する載置台３０と、載置台３０に嵌合して設けられた開口板３１には蒸気通路３２から食品３５に蒸気を導く少なくとも１つの開口板孔４１とを備え、蒸気発生装置２０から発生した蒸気は、蒸気通路３２および開口板孔４１を通じて、食品３５を加熱可能とした。【選択図】図３
2016099010.tif 000002
【特許請求の範囲】
【請求項１】
食品を加熱する加熱室と、蒸気を発生させる蒸気発生装置と、前記加熱室内に設けられ、前記蒸気発生装置から発生した蒸気を導く蒸気通路と、前記蒸気通路に近接し、前記加熱室底面と隙間を有して被加熱物を載置する載置台と、前記載置台には前記蒸気通路から前記被加熱物に蒸気を導く少なくとも１つの載置台開口部とを備え、
前記蒸気発生装置から発生した蒸気は、前記蒸気通路および前記載置台開口部を通じて前記被加熱物を加熱可能とした加熱調理器。
【請求項２】
前記載置台上面は略平面とした請求項１に記載の加熱調理器。
【請求項３】
前記載置台と前記載置台開口部を有する開口板を別々に備え、前記開口板は前記載置台から着脱可能とした請求項１または２に記載の加熱調理器。
【請求項４】
前記載置台は前記加熱室から着脱可能とした請求項１〜３いずれか１項に記載の加熱調理器。
【請求項５】
前記蒸気発生装置は発生した蒸気を噴出する蒸気噴出口を備え、前記蒸気噴出口と前記蒸気通路を着脱可能とした請求項１〜４いずれか１項に記載の加熱調理器。
【請求項６】
マイクロ波発生装置を備え、前記マイクロ波発生装置から発生したマイクロ波によって前記被加熱物を加熱可能とした請求項１〜５いずれか１項に記載の加熱調理器。
【発明の詳細な説明】
【技術分野】
【０００１】
本発明は、加熱調理器に関するものである。
【背景技術】
【０００２】
従来、この種の蒸気調理を行う加熱調理器は、加熱室内に蒸し器が設置され、蒸気発生ノズルと蒸し器の蒸気取り入れ口が離して設けられ、蒸気発生ノズルから蒸気が蒸気取り入れ口に向かって噴射することにより、蒸し器内に蒸気を充満させ蒸し調理を行っていた（例えば、特許文献１参照）。
【先行技術文献】
【特許文献】
【０００３】
【特許文献１】特開２００７−２７１１０４号公報
【発明の概要】
【発明が解決しようとする課題】
【０００４】
しかしながら、蒸し器が加熱室内に設置されたままでいると、蒸し器を使わずに蒸気以外の加熱手段（例えば、マイクロ波）で被加熱物を加熱する際、蒸し器が邪魔になり、いちいち蒸し器を加熱室外に取り外して被加熱部を入れる手間が発生し、また取り外した蒸し器の収容場所が必要になる。また、蒸し器の蓋を開けて、蒸し器の中に被加熱物を入れる手間が発生するという課題があった。
【０００５】
一方、蒸し器を使わずに加熱室内に蒸気を噴出して蒸気加熱をすると、広い加熱室内に蒸気が分散し、加熱効率が悪くなるため、加熱時間が長くなる。また、加熱室が広いため、蒸気噴出口からの距離が近いところは極端に加熱され、それ以外のところは加熱されにくく、加熱ムラが大きくなる。さらに、加熱室内壁が、結露水または被加熱物から発生した水分や油脂成分で汚れ、加熱後、加熱室内壁全体を清掃する必要があるという課題もあった。
【０００６】
本発明は、前記従来の課題を解決するもので、蒸し器を使うことなく簡単に蒸し調理ができ、また蒸気の加熱効率を高め加熱時間を短縮し、清掃性も向上できる加熱調理器を提供することを目的とする。
【課題を解決するための手段】
【０００７】
前記従来の課題を解決するために、本発明の加熱調理器は、食品を加熱する加熱室と、蒸気を発生させる蒸気発生装置と、前記加熱室内に設けられ、前記蒸気発生装置から発生した蒸気を導く蒸気通路と、前記蒸気通路に近接し、前記加熱室底面と隙間を有して被加熱物を載置する載置台と、前記載置台には前記蒸気通路から前記被加熱物に蒸気を導く少なくとも１つの載置台開口部とを備え、前記蒸気発生装置から発生した蒸気は前記蒸気通路および前記載置台開口部を通じて前記被加熱物を加熱可能としたものである。
【０００８】
これによって、載置台開口部上に被加熱物を載置し蒸気加熱を行うだけで、蒸し器を使うことなく簡単に蒸し調理ができる。また、蒸気通路によって蒸気が加熱室内を拡散することなく載置台開口部まで導かれ、被加熱物近傍に直接噴出されるため効率よく被加熱物を加熱でき、噴出口付近の加熱ムラや加熱室内壁への結露を最小限に抑えることができる。さらに、被加熱物から生じる水分や油脂成分等が蒸気通路に滴下するため、加熱室を汚すことがなく、蒸気通路を清掃するだけで簡単に清掃することができる。
【発明の効果】
【０００９】
本発明の加熱調理器は、蒸し器を使うことなく簡単に蒸し調理ができ、また蒸気の加熱効率を高め加熱時間を短縮し、清掃性も向上させることができる。
【図面の簡単な説明】
【００１０】
【図１】本発明の実施の形態１における加熱調理器の斜視図
【図２】本発明の実施の形態１における加熱調理器の正面断面図
【図３】本発明の実施の形態１における加熱調理器の載置台近傍の要部正面断面図
【図４】本発明の実施の形態１における加熱調理器の食品を載置していない状態の載置台の上面図
【図５】本発明の実施の形態１における加熱調理器の蒸気通路を流れる蒸気の模式図
【図６】本発明の実施の形態２における加熱調理器の載置台近傍の要部正面断面図
【図７】本発明の実施の形態２における加熱調理器の食品容器の蓋を取った状態を表す上面図
【発明を実施するための形態】
【００１１】
第１の発明は、食品を加熱する加熱室と、蒸気を発生させる蒸気発生装置と、前記加熱室内に設けられ、前記蒸気発生装置から発生した蒸気を導く蒸気通路と、前記蒸気通路に近接し、前記加熱室底面と隙間を有して被加熱物を載置する載置台と、前記載置台には前記蒸気通路から前記被加熱物に蒸気を導く少なくとも１つの載置台開口部とを備え、前記蒸気発生装置から発生した蒸気は前記蒸気通路および前記載置台開口部を通じて前記被加熱物を加熱可能としたことにより、載置台開口部上に被加熱物を載置し蒸気加熱を行うだけで、蒸し器を使うことなく簡単に蒸し調理ができる。
【００１２】
また、蒸気通路によって、蒸気が加熱室内を拡散することなく載置台開口部まで導かれ、被加熱物近傍に直接噴出されるため、効率よく被加熱物を加熱でき、噴出口付近の加熱ムラや加熱室内壁への結露を最小限に抑えることができる。さらに、被加熱物から生じる水分や油脂成分等が蒸気通路に滴下するため、加熱室を汚すことがなく、蒸気通路を清掃するだけで簡単に清掃することができる。
【００１３】
第２の発明は、特に、第１の発明において、前記載置台上面は略平面としたことにより、扁平で大きい被加熱物に対しても傾くことなく載置台上に容易に載置し加熱することができる。
【００１４】
第３の発明は、特に、第１または第２の発明において、前記載置台と前記載置台開口部を有する開口板を別々に備え、前記開口板は前記載置台から着脱可能としたことにより、載置台から開口板だけを取り外して、開口板に付着した被加熱物からの水分や油脂成分等の汚れを簡単に清掃することができる。また、開口板を外して同様に汚れた蒸気通路を簡易的に清掃することもできる。
【００１５】
第４の発明は、特に、第１〜第３のいずれかの１つの発明において、前記載置台は前記加熱室から着脱可能としたことにより、加熱室から載置台を取り外して載置台に付着した被加熱物からの水分や油脂成分等の汚れを簡単に清掃することができる。また、載置台を外すと載置台の高さの分、より高さのある被加熱物を加熱室に載置し加熱することもできる。
【００１６】
第５の発明は、特に、第１〜第４のいずれかの１つの発明において、前記蒸気発生装置は発生した蒸気を噴出する蒸気噴出口と、前記蒸気通路に蒸気を導く蒸気投入口を備え、前記蒸気噴出口と前記蒸気投入口を着脱可能としたことにより、蒸気噴出口から蒸気通路を取り外して、蒸気通路に付着した被加熱物からの水分や油脂成分等の汚れを簡単に清掃
することができる。
【００１７】
第６の発明は、特に、第１〜第５のいずれかの１つの発明において、マイクロ波発生装置を備え、前記マイクロ波発生装置から発生したマイクロ波によって前記被加熱物を加熱可能としたことにより、特に冷凍品の被加熱物においては、マイクロ波の吸収率が悪いため、蒸気加熱とマイクロ波加熱を併用すると、蒸気で被加熱物の表面を溶かしてマイクロ波の吸収率を上げることができ、被加熱物を効率よく加熱することができる。
【００１８】
以下、本発明の実施の形態について図面を参照しながら説明する。なお、この実施の形態によって本発明が限定されるものではない。
【００１９】
（実施の形態１）
図１は、本発明の実施の形態１における加熱調理器の斜視図である。
【００２０】
同図において、高周波加熱調理器１（加熱調理器）の本体内には、後述する加熱室２が設けられている。加熱室２には、前面に開口が設けられている。そして、この開口には、開閉可能にドア５が設けられている。このドア５を手前に回動して開け、開口を通して、食品を加熱室２内に収納、あるいは加熱室２から取り出している。
【００２１】
なお、本実施の形態においては、加熱室２の開口側を前方とし、この前方より後方に向かって右側を右方とし、前方より本体に向かって左側を左方として、以下の説明を行う。
【００２２】
ドア５は、上下方向に開閉可能に設けられている。このドア５の前面には、ユーザが調理メニューや調理時間を設定できる操作表示部２８が備えられている。そして、ドア５を開いた時には、高周波加熱調理器１の各熱源の動作を停止させるため、安全スイッチ（図示せず）が、高周波加熱調理器１の本体に、設けられている。
【００２３】
図２は、本発明の実施の形態１における載置台を備えた加熱調理器を表す正面断面図である。
【００２４】
図２において、加熱室２は、アルミメッキ鋼板の表面をフッ素塗装している。加熱室２内下部に、加熱室２に固定され結晶化ガラスで形成された皿受台３が、取り付けられている。また、加熱室２天面には、マイカで形成された天板４０と、この天板４０の下方に、棒状の３本の加熱室ヒータ４が、後方に向かって相互に平行に設けられている。３本の加熱室ヒータ４のうち、中央に配置された加熱室ヒータ４が発生する赤外線の波長のピーク値は、他の２本の加熱室ヒータ４が発生する赤外線の波長のピーク値よりも短くなるよう、設定している。
【００２５】
加熱室２の壁面は、それぞれアースコード（図示せず）によって接地されている。加熱室２の左右側壁には、レール１２が一体成型され、載置皿（図示せず）を着脱自在に保持する。したがって、レール１２も、接地されている。
【００２６】
本実施の形態では、加熱室２の壁面は、汚れが拭き取り易いフッ素塗装を行ったが、ホーロー塗装や、他の耐熱性のある塗装を行ってもよい。また、加熱室２の壁面の材質としては、ステンレスを用いることもできる。
【００２７】
加熱室２の後方には、加熱室２内とは区切られた空間がある。この空間内には、加熱室２内の空気を撹拌、循環させる循環ファン７と、加熱室２内を循環する空気を加熱する室内気加熱ヒータとしてのコンベクションヒータ８が、循環ファン７を取り囲むようにして設けられている。
【００２８】
加熱室２内の奥壁中央付近には、加熱室２内の空気を循環ファン７側へ、送風するための複数の吸気用通風孔１６と、逆に、循環ファン７側から加熱室２側へ、送風を行うための複数の送風用通風孔１７とが、それぞれ形成エリアを区別して、設けられている。
【００２９】
また、加熱室２の左側壁には、吸気孔１３が設けられ、吸気孔１３を介して、ファン（図示せず）から風を取り入れ、マグネトロン６ａ、６ｂ（マイクロ波発生装置）や、制御手段１０等を冷却している。また、加熱室２の奥壁の右部分には、加熱室２内の空気を外部に排出する排気孔２９を備えている。各通風孔１３、１６、１７、２９は多数のパンチング孔で形成されている。
【００３０】
加熱室２右側壁上部には、加熱室２の右側壁に設けた検出用孔２７を通じて、加熱室２内の食品の温度を検出する赤外線センサ１５と、庫内雰囲気温度を検出する庫内サーミスタ９とが、設けられている。
【００３１】
加熱室２外の右下方には、右方から見た外形寸法が約９０ｍｍ×８０ｍｍのマイクロ波発生手段であるマグネトロン６ａが水平方向に設けられ、導波管１４ａに接続されている。導波管１４ａは、アルミメッキ鋼鈑を曲げて内部通路を形成し、全体として略Ｌ字状に構成されている。
【００３２】
そして、加熱室２の水平方向における中央付近には、回転アンテナ１１ａが、設けられている。回転アンテナ１１ａは、アルミメッキ鋼板で形成され、モータ１８ａに接続されて、加熱室２にマイクロ波を撹拌しながら照射している。また、同様に、加熱室２外の右上方には、マグネトロン６ｂ、回転アンテナ１１ｂ、導波管１４ｂ、モータ１８ｂが、マグネトロン６ａ、回転アンテナ１１ａ、導波管１４ａ、モータ１８ａを略上下反転して、設けられている。
【００３３】
なお、マグネトロン６ａ、６ｂ、回転アンテナ１１ａ、１１ｂ、導波管１４ａ、１４ｂ、モータ１８ａ、１８ｂは、加熱室２外の下方および上方に設けているが、これに限らず側面側に設けることもでき、設置向きもあらゆる方向に設定することができる。
【００３４】
また、回転アンテナ１１ａ、１１ｂを設けず、導波管１４ａ、１４ｂ出口の開孔だけで加熱室２内にマイクロ波を供給してもよく、さらに、加熱分布を改善するために、食品を載置し、回転させるターンテーブルを設けてもよい。
【００３５】
加熱室２左方には、蒸気発生装置２０と、蒸気発生のための水を貯めるアルミダイキャストで形成された貯水室１９と、貯水室１９の開口にパッキン（図示せず）を挟んで対向して設けられアルミダイキャストで形成された貯水室カバー２２とが、設けられている。貯水室１９の高さ方向に対して中央付近には、第１の蒸気発生ヒータ２４が、略水平方向に、貯水室１９のアルミダイキャストに鋳込まれている。この第１の蒸気発生ヒータ２４は、出力６５０Ｗの直線状のシーズヒータであり、貯水室１９を加熱して蒸気を発生させるためのものである。
【００３６】
第１の蒸気発生ヒータ２４の上方には、第２の蒸気発生ヒータ２５が、略水平方向に設けられている。この第２の蒸気発生ヒータ２５は、出力３５０Ｗの直線状のシーズヒータであり、貯水室１９を加熱して蒸気を発生させるためのものである。
【００３７】
蒸気導入路２３は、内径φ１０ｍｍのシリコーンチューブで形成され、貯水室１９天面の上方に設けられて、加熱室２下方の側面に蒸気を供給する。蒸気導入路２３の先端には、蒸気噴出口２１が形成され、加熱室２側面下方に蒸気を加熱室２に水平方向に噴出する
よう形成されている。
【００３８】
第２の蒸気発生ヒータ２５の上方には、貯水室サーミスタ２６が設けられ、貯水室１９の温度を検知するよう設けられている。貯水室１９下方には、給水タンク５０と、この給水タンク５０の水を貯水室１９に供給する給水ポンプ５１と、給水ポンプ５１からの水を貯水室１９まで導く給水路５２が設けられている。
【００３９】
なお、第１の蒸気発生ヒータ２４、第２の蒸気発生ヒータ２５は、本実施の形態では、出力が合計１０００Ｗで、下方に６５０Ｗ、上方に３５０Ｗの異なる出力の直線状のシーズヒータ２本を用いたが、貯水室１９形状、必要蒸気量に応じて、出力合計１０００Ｗ以外となるヒータを組み合わせて構成できる。また、出力が同じヒータの組み合わせ、３本以上や１本だけのヒータ、直線状ではなくＵ字形状やＬ字形状のヒータ、上方に高出力で下方に低出力のヒータ構成等を用いることもできる。
【００４０】
また、蒸気導入路２３および蒸気噴出口２１は、本実施の形態では断面形状が円形状で形成されているが、楕円形や矩形状でもよい。また、蒸気導入路２３および蒸気噴出口２１は、本実施の形態では加熱室２左方側壁に設けたが、右方や奥面であっても構わない。なお、蒸気噴出口２１の孔の最長内寸は、マイクロ波が漏れないように、マイクロ波の波長の１／２以下、本実施の形態ではマイクロ波の波長が約１２０ｍｍであるため、６０ｍｍ以下が望ましい。
【００４１】
また、スケール付着を減らすために、貯水室１９内面または貯水室カバー２２内面をフッ素、シリコーン等でコーティングしてもよい。
【００４２】
また、水位検知手段を用いると、スケールが付着して感度が低下し、最悪水位を検知できなくなる。しかし、貯水室サーミスタ２６のような温度検知手段を用いることにより、スケールに対して信頼性を向上できる。これは、貯水室サーミスタ２６のような温度検知手段を用いた場合、スケールは付着するが、たとえスケールが付着しても、温度を検知できなくなることはないためである。
【００４３】
加熱室２下方には制御手段が設けられ、ユーザの調理メニューの選択により、マグネトロン６ａ、６ｂ、モータ１８ａ、１８ｂ、循環ファン７、各ヒータ、各サーミスタ、赤外線センサ１５、給水ポンプ５１、操作表示部２８、庫内灯（図示せず）等を制御している。
【００４４】
加熱室２内下部の皿受台３上には、加熱室２の底面を略全面覆うように、載置台３０が載置され、加熱室２に着脱できるように、少し隙間を有している。なお、本実施の形態では、載置台３０は加熱室２底面の略全面を覆っているが、一部分だけ覆っていても構わない。また、本実施の形態では、載置台３０の側壁が皿受台３上に接することにより、載置台３０を支持しているが、載置台３０の側壁は皿受台３から浮かし、載置台３０に脚形状を設けて、脚形状で皿受台３上やレール１２上に載置台３０を支持してもよい。
【００４５】
載置台３０の下方には、蒸気通路３２と、この蒸気通路３２の左方でかつ水平方向に円筒形の蒸気投入口３４とが、設けられている。蒸気噴出口２１の外側形状と蒸気投入口３４の内側形状とは略同一であり、蒸気噴出口２１の外側に、蒸気投入口３４が、約３０ｍｍオーバーラップして、着脱自在に篏合している。なお、円筒形状の蒸気噴出口２１と蒸気投入口３４が嵌合した際に、ロックするロック機構を設けてもよいものである。
【００４６】
また、逆に、蒸気噴出口２１の内側形状と蒸気投入口３４の外側形状は略同一にし、蒸気噴出口２１の内側に蒸気投入口３４がオーバーラップして着脱自在に篏合していてもよ
いものである。
【００４７】
図３は、本発明の実施の形態１における加熱調理器の載置台の正面断面図を示す。
【００４８】
図３において、載置台３０は略直方体形状の箱状であり、下方に開口して形成されている。そして、載置台３０上面は略平面となっており、加熱室２下部の皿受台３から、約４０ｍｍ隙間を有して、皿受台３に対して略平行に構成されている。
【００４９】
開口板３１は、載置台３０および蒸気通路３２と嵌合し、載置台３０の上面略中央部に、着脱自在に取り付けられている。開口板３１の略中央部には、複数の貫通孔である開口板孔４１（載置台開口部）が、形成されている。開口板孔４１が設けられた開口板３１の上面は、載置台３０上面と略同一平面を形成し、開口板３１上には、食品３５が載置されている。
【００５０】
なお、本実施の形態では、開口板３１は、載置台３０とは別部品として構成されているが、開口板３１を備えず、載置台３０の上面に複数の貫通孔が設けられていてもよいものである。
【００５１】
蒸気通路３２は、蒸気投入口３４と、中央部に蒸気流路制御板３８が設けられている。蒸気流路制御板３８は、複数の蒸気流路制御板切欠き４６を有し、蒸気通路３２に対して着脱可能に爪構成により、取り付けられている。また、蒸気投入口３４を避けるように、載置台３０の両側壁には載置台切欠き３９を有し、左右逆に載置台３０を挿入されても蒸気投入口３４と接触することはない。
【００５２】
蒸気投入口３４、蒸気通路３２、蒸気流路制御板３８、開口板３１、載置台３０は、マイクロ波を透過する耐熱温度１２０℃の耐熱ポリプロピレン樹脂で形成されている。なお、本実施の形態では、耐熱温度１２０℃の耐熱ポリプロピレン樹脂で形成されているが、他の材料であっても構わない。
【００５３】
なお、蒸気噴出口２１と蒸気投入口３４とを水平方向に設けたが、斜めや垂直方向に設けて嵌合させてもよいものである。
【００５４】
また、食品３５としては、例えば、冷蔵や冷凍の中華まん、餃子、ご飯、麺等が考えられるが、これに限定されるものではない。なお、個数は１個に限らずさらに多くてもよく、食品以外の被加熱物でもよい。
【００５５】
図４は、本発明の実施の形態１における加熱調理器の食品を載置していない状態の載置台を表す上面図である。
【００５６】
図４において、載置台３０は、開口板３１の周囲に、孔の開いていない平面部４７を設けている。開口板３１は、略長方形の薄板形状である。また、開口板孔４１は、載置台３０の長手方向に長辺を有するトラック楕円で構成され、千鳥配置で複数個設けられている。なお、開口板孔４１の孔形状は、円形や四角形等の形状でも、蒸気を通すものであればよい。しかし、食品３５の種類によっては、孔の大きさ、形状によって通過してしまう可能性があるため、食品３５に応じて適宜開口板孔４１を選択する必要がある。
【００５７】
また、開口板３１には、開口板切欠き４５が上下に２箇所設けられ、開口板切欠き４５に、指や爪を入れて、開口板３１を載置台３０から、容易に着脱できるようにしている。なお、蒸気の圧力で、載置台３０から開口板３１が浮き上がることを防止するため、開口板３１は、載置台３０と爪構成で嵌合させてもよい。
【００５８】
図５は、本発明の実施の形態１における加熱調理器の蒸気通路を表す上面図である。
【００５９】
図５において、蒸気流路制御板切欠き４６が、蒸気流路に対して垂直方向に前後合わせて６箇所、蒸気流路と同一方向で中央付近に１箇所設けられている。蒸気流路方向の蒸気流路制御板切欠き４６の総面積は、蒸気流路方向に垂直方向の蒸気流路制御板切欠き４６の総面積より小さく構成されている。
【００６０】
蒸気流路制御板３８は、蒸気投入口３４から流入した蒸気を蒸気通路３２中央付近まで導いている。蒸気は、蒸気流路制御板切欠き４６により、蒸気流路方向に対して垂直方向にも流れ易く構成され、蒸気の加熱ムラを軽減している。
【００６１】
なお、蒸気流路制御板切欠き４６の大きさや個数は、蒸気流量や蒸気通路３２の大きさ等によって異なり、蒸気流量が少ない場合や、小さい蒸気通路３２の場合であれば、切欠き４６を設けない、もしくは蒸気流路制御板３８がなくても、蒸気が蒸気通路３２内を万遍なく広がればよいものである。
【００６２】
以上のように構成された加熱調理器について、以下その動作、作用を説明する。
【００６３】
まず、高周波加熱調理器１のユーザは、ドア５を開け、蒸気通路３２の蒸気投入口３４と加熱室２の蒸気噴出口２１とを篏合させて、蒸気通路３２を皿受台３上にセットする。次に、ユーザは、載置台３０の平面部４７が蒸気通路３２を覆うように、載置台３０を皿受台３上に載置する。そして、開口板３１を載置台３０の開口部を塞ぐようにセットする。
【００６４】
なお、この作業は毎回行う必要はなく、適宜各部品を清掃等で取り外した後行うものである。
【００６５】
そして、蒸気加熱を行う場合、食品３５を載置台３０の開口板３１上に、載置する。載置台３０等がセットされている通常時において、高周波加熱調理器１のユーザが準備する作業はこれだけで、あとはドア５を閉めて、操作表示部２８から蒸気によるメニューを選択しスタートするだけである。
【００６６】
加熱をスタートすると、第１の蒸気発生ヒータ２４、第２の蒸気発生ヒータ２５が通電され発熱し、貯水室１９を加熱する。その後、貯水室サーミスタ２６が貯水室１９の温度が所定温度を超えたことを検知し、給水タンク５０の水を給水ポンプ５１によって、給水路５２を通じて貯水室１９に供給し、瞬間的に蒸気を発生させる。なお、貯水室１９に水を貯めて加熱することにより、徐々に蒸気を発生させてもよい。
【００６７】
発生した蒸気は、貯水室１９から蒸気導入路２３を通じ、蒸気噴出口２１から噴出する。蒸気噴出口２１から噴出した蒸気は、蒸気投入口３４を通じて、蒸気通路３２内に流れ込み、蒸気流路制御板３８の蒸気流路制御板切欠き４６を通って分岐しながら、蒸気通路３２の中央部まで導かれる。蒸気通路３２中央部まで導かれた蒸気は、蒸気流路制御板３８によって流路を狭められ、流路が３方向に分岐し、蒸気通路３２内に拡散し、蒸気通路３２内に万遍なく行き渡る。
【００６８】
その後、蒸気は、開口板孔４１を通じて、食品３５の近傍周囲から加熱室２内に噴出し、食品３５周囲全体で結露して蒸発潜熱を与え、食品３５をムラなく加熱する。特に、食品３５が隙間の多いもの（例えば、麺）や多孔質状のものである場合、食品３５内に蒸気が入り込み、内部からも効率良く加熱される。加熱終了後、高周波加熱調理器１のユーザ
は、ドア５を開けて食品３５を取り出し、例えば店舗で使用される際には、すぐ消費者に提供することが可能である。
【００６９】
この後、蒸気を使わずにマイクロ波加熱する場合、開口板３１を含む載置台３０上に食品３５を載置するだけで、加熱可能である。
【００７０】
以下、マイクロ波加熱の場合の動作について説明する。
【００７１】
高周波加熱調理器１のユーザが、操作表示部２８により、マイクロ波のメニューを選択し、加熱をスタートする。すると、マグネトロン６ａ、６ｂからマイクロ波が放出され、マイクロ波は導波管１４ａ、１４ｂ内を伝播し、モータ１８ａ、１８ｂによって回転する回転アンテナ１１ａ、１１ｂに供給される。そして、マイクロ波は、回転アンテナ１１ａ、１１ｂを通して、加熱室２内に撹拌されながら、上下から照射される。
【００７２】
ほとんどのマイクロ波は、直接食品３５に吸収され、発熱する。特に、下方向から放射されるマイクロ波は、食品３５の下部に直接当たり加熱し易く、上方向から放射されるマイクロ波は、食品３５の上部に直接波が当たり加熱し易い傾向にある。また、上下それぞれのマイクロ波の出力制御や、回転アンテナ１１ａ、１１ｂを回転制御することにより、加熱室２内のマイクロ波分布を変化させることができ、食品３５の種類、形状、位置、数に応じて、適切な分布性能を選択することができる。
【００７３】
なお、本実施の形態では、蒸気単独加熱とマイクロ波単独加熱とを示したが、マイクロ波と蒸気の複合加熱、さらに加熱室ヒータ４やコンベクションヒータ８を用いて輻射熱や熱風を利用して単独加熱や複合加熱を行うこともできる。
【００７４】
以上のように本実施の形態では、食品３５を加熱する加熱室２と、蒸気を発生させる蒸気発生装置２０と、加熱室２内に設けられ、蒸気発生装置２０から発生した蒸気を導く蒸気通路３２と、蒸気通路３２に近接し、加熱室２底面と隙間を有して食品３５を載置する載置台３０と、載置台３０に嵌合して設けられた開口板３１には蒸気通路３２から食品３５に蒸気を導く少なくとも１つの開口板孔４１とを備えている。
【００７５】
そして、蒸気発生装置２０から発生した蒸気は、蒸気通路３２および開口板孔４１を通じて、食品３５を加熱可能としたことにより、載置台３０の開口板３１上に食品３５を載置し、蒸気加熱を行うだけで、蒸し器を使うことなく簡単に蒸し調理ができる。また、蒸気通路３２によって、蒸気が加熱室２内を拡散することなく、載置台３０の開口板３２まで導かれ、食品３５近傍に、直接噴出される。このため、効率よく食品３５を加熱でき、蒸気噴出口２１付近の加熱ムラや、加熱室２内壁への結露を最小限に抑えることができる。
【００７６】
さらに、食品３５から生じる水分や油脂成分等が、蒸気通路３２に滴下するため、加熱室２を汚すことがなく、蒸気通路３２を清掃するだけで、簡単に清掃することができる。
【００７７】
また、載置台３０上面を略平面としたことにより、扁平で大きい食品３５に対しても、食品３５を傾けることなく、載置台３０上に容易に載置し、加熱することができる。
【００７８】
さらに、載置台３０と開口板孔４１を有する開口板３１とを別々に備え、開口板３１は載置台３０から着脱可能としたことにより、載置台３０から開口板３１だけを取り外して、開口板３１に付着した食品３５からの水分や、油脂成分等の汚れを簡単に清掃することができる。また、開口板３１を外して、同様に汚れた蒸気通路３２を上方から簡易的に清掃することもできる。
【００７９】
また、載置台３０は、加熱室２から着脱可能としたことにより、加熱室２から載置台３０を取り外して、載置台３０に付着した食品３５からの水分や、油脂成分等の汚れを簡単に清掃することができる。また、載置台３０を外すと、載置台３０の高さ寸法の分だけ、より高さ寸法のある食品３５を、加熱室２に載置し、加熱することもできる。
【００８０】
さらに、蒸気発生装置２０は、発生した蒸気を噴出する蒸気噴出口２１と、蒸気通路３２に蒸気を導く蒸気投入口３４を備え、蒸気噴出口２１と蒸気投入口３４とを着脱可能としたことにより、蒸気噴出口２１から蒸気通路３２を取り外して、蒸気通路３２に付着した食品３５からの水分や、油脂成分等の汚れを簡単に清掃することができる。
【００８１】
また、マグネトロン６ａ、６ｂを備え、マグネトロン６ａ、６ｂから発生したマイクロ波によって食品３５を加熱可能としたことにより、特に、冷凍品の食品３５においては、マイクロ波の吸収率が比較的悪いため、蒸気加熱とマイクロ波加熱とを併用すると、蒸気で食品３５の表面を溶かしてマイクロ波の吸収率を上げることができ、食品３５を効率よく加熱することができる。
【００８２】
また、蒸気噴出口２１の外側形状と蒸気投入口３４の内側形状とをオーバーラップして篏合させたことにより、確実に蒸気噴出口２１と蒸気投入口３４との隙間から、加熱室２への蒸気漏れを防ぐことができ、加熱調理器のユーザは、蒸気噴出口２１に蒸気投入口３４を合わせて挿入するだけで、蒸気通路３２の位置合わせも簡単に行うことができる。
【００８３】
さらに、蒸気通路３２内に、蒸気流路方向を変化させる蒸気流路制御板３８を設けたことにより、蒸気通路３２内に万遍なく蒸気を行きわたらせることができ、食品３５の加熱ムラを減らすことができる。
【００８４】
また、蒸気流路制御板３８は、蒸気流路方向に対向して蒸気流路を狭めるもしくは曲げる構成としたことにより、蒸気流路制御板３８がない場合、蒸気の進行方向ばかりに蒸気が流れて食品３５の一部だけ加熱されてしまうが、蒸気流路制御板３８によってそれを防ぎ、食品３５の加熱ムラを減らすことができる。
【００８５】
さらに、蒸気流路制御板３８を着脱可能にしたことにより、蒸気流路制御板３８および蒸気通路３２に付着した食品３５からの水分や、油脂成分等の汚れを簡単に清掃することができる。
【００８６】
また、蒸気以外の加熱手段で加熱する時においては、載置台３０のどこにでも食品３５を載置できるため、簡単に食品３５を加熱できる。
【００８７】
なお、本実施の形態では、マイクロ波を発生させる高周波加熱調理器１を用いたが、少なくとも蒸気発生装置２０を設けた加熱調理器であれば同様の効果を得ることができる。
【００８８】
（実施の形態２）
次に、本発明の実施の形態２について説明する。以下では、実施の形態１の構成、動作との相違点を中心に述べ、実施の形態１と同一要素については同一符号を付して、その構成、動作の詳細な説明を省略する。
【００８９】
図６は、本発明の実施の形態２における加熱調理器の載置台近傍を表す正面断面図である。
【００９０】
図６において、開口板３１上には、直方体形状の食品容器３３が、被加熱物である食品
３５を収納している。そして、食品容器３３の上方開口部が、複数の貫通孔である蒸気孔３７を有した蓋３６で、覆われている。食品容器３３の凸部４２は、開口板３１の凹部４３と嵌合されており、蒸気が外部に漏れにくい構成となっている。食品容器３３底部に形成された複数の貫通孔である食品容器孔４４と、開口板孔４１とを介して、蒸気通路３２と食品容器３３内とを連通している。
【００９１】
なお、食品容器３３の外殻形状は、直方体形状以外にも円柱形状等、食品３５が収容できる形状であればよいものである。
【００９２】
図７は、本発明の実施の形態２における加熱調理器の食品容器の蓋を取った状態を表す上面図である。
【００９３】
図７において、食品容器３３の食品容器孔４４は、開口板孔４１とほぼ同じ位置、同じ大きさで構成されており、食品容器３３の凸部４２と開口板３１の凹部４３とを嵌合させることにより、食品容器孔４４と開口板孔４１とを一致させることが容易になる。
【００９４】
以上のように構成された本実施の形態における加熱調理器について、以下その動作、作用を説明する。
【００９５】
まず、高周波加熱調理器１のユーザによってドア５が開けられ、蒸気通路３２の蒸気投入口３４と加熱室２の蒸気噴出口２１とを篏合させ、蒸気通路３２を皿受台３上にセットする。次に、載置台３０の平面部４７が蒸気通路３２を覆うように、皿受台３上に載置する。そして、開口板３１を載置台３０の開口部を塞ぐようにセットする。
【００９６】
なお、この作業は毎回行う必要はなく、適宜各部品を清掃等で取り外した後行うものである。
【００９７】
そして、蒸気加熱を行う場合、食品３５を収容した食品容器３３の凸部４２を開口板３１の凹部４３に嵌合させて、食品容器３３を開口板３１にセットする。すると、開口板孔４１と食品容器孔４４とが、自動的に連通する。載置台３０等がセットされている通常時に、ユーザが準備する作業はこれだけで、あとはドア５を閉めて、操作表示部２８から蒸気によるメニューを選択し、加熱をスタートするだけである。
【００９８】
加熱をスタートすると、第１の蒸気発生ヒータ２４、第２の蒸気発生ヒータ２５が通電され発熱し、貯水室１９を加熱する。その後、貯水室サーミスタ２６が貯水室１９の温度が所定温度を超えたことを検知し、給水ポンプ５１によって、給水路５２を通じて、給水タンク５０の水を貯水室１９に供給し、瞬間的に蒸気を発生させる。なお、貯水室１９に水を貯めて加熱することにより、徐々に蒸気を発生させてもよい。
【００９９】
発生した蒸気は、貯水室１９から蒸気導入路２３を通じて、蒸気噴出口２１から噴出する。蒸気噴出口２１から噴出した蒸気は、蒸気投入口３４を通じて、蒸気通路３２内に流れ込み、蒸気流路制御板３８の蒸気流路制御板切欠き４６によって分岐しながら、蒸気通路３２中央部まで導かれる。蒸気通路３２中央部まで導かれた蒸気は、蒸気流路制御板３８によって流路を狭められ、流路が３方向に分岐し、蒸気通路３２内を拡散し、蒸気通路３２内に万遍なく行きわたる。
【０１００】
その後、蒸気は、開口板孔４１、食品容器孔４４を通じて、食品３５周囲全体に結露して蒸発潜熱を与え、ムラなく加熱する。特に、食品３５が隙間の多いもの（例えば、麺類）や多孔質状のものである場合、食品３５内に蒸気が入り込み、内部からも効率良く加熱する。また、蒸気が、食品容器３３内に充満すると、空間の誘電率が変化し、食品載置室
４９内のマイクロ波の波長が短くなり、加熱ムラが軽減するという効果もある。
【０１０１】
加熱が進み食品３５の温度が上昇してくると、蒸気が食品３５に結露しにくくなり、蒸気のまま食品容器３３内に充満する。最終的に結露せずに充満した蒸気は蓋３６の蒸気孔３７から食品容器３３外部に排出される。
【０１０２】
加熱終了後、高周波加熱調理器１のユーザは、ドア５を開けて、食品容器３３を開口板３１から持ち上げて取り外し、例えば店舗で使用される際には、すぐに食品３５を消費者に提供することが可能である。
【０１０３】
この後、蒸気を使わずにマイクロ波加熱する場合、開口板３１を含む載置台３０上に食品容器３３もしくは食品３５を載置するだけで加熱可能である。
【０１０４】
以上のように本実施の形態では、開口板３１上に食品３５を収納する食品容器３３を備え、食品容器３３の食品容器孔４４と開口板孔４１とを一致させ、蒸気通路３２と食品容器３３内とを連通させることにより、加熱室２内に蒸気を拡散させず、食品容器３３の狭い空間だけに蒸気を満たすことができるため、より効率よく食品３５を加熱することができ、加熱時間の短縮および食品３５の出来栄えを向上させることができる。
【０１０５】
また、食品３５からの水分や油脂成分等の汚れの大部分が食品容器３３内に収まるため、加熱室２や載置台３０、開口板３１、蒸気通路３２の汚れを抑えることができ、清掃性を向上させることができる。さらに、食品３５を直接触る必要がないため、火傷を防ぎ、衛生的に食品３５を扱うことができる。
【０１０６】
また、蒸気加熱とマイクロ波加熱とを併用する際、蒸気が食品容器３３内に充満すると空間の誘電率が変化し、食品載置室４９内のマイクロ波の波長が短くなり、加熱ムラが軽減するという効果もある。さらに、特に食品３５が冷凍品の場合は、マイクロ波の吸収率が悪いため、蒸気で食品３５の表面を溶かしてマイクロ波の吸収率を上げることができ、食品３５を効率よく加熱することができる。
【０１０７】
なお、食品容器３３にマイクロ波を吸収して発熱する発熱体を備えることにより、蒸気やマイクロ波だけでなく、発熱体からの熱伝導でも食品３５を加熱することもできる。
【０１０８】
また、食品３５を食品容器３３に複数配置し、同時加熱を行えば、より短時間に複数の食品を加熱することができる。
【０１０９】
なお、本実施の形態では、食品容器３３の凸部４２と開口板３１の凹部４３とを嵌合させているが、嵌合させる形状はこれに限らず、例えば食品容器３３からリブ状の突起を出し、開口板３１の凹部４３に嵌合させる等、様々な工夫で嵌合させることができる。また、嵌合させる形状がなくても、例えば開口板孔４１に小さい孔を無数に開けたメッシュ形状にし、多少ずれて食品容器３３を載置されても、開口板孔４１から出る蒸気が食品容器孔４４に入るような工夫をしてもよく、要は食品容器孔４４に蒸気が導かれる構成であればよい。
【０１１０】
さらに、本実施の形態では、蓋３６に蒸気孔３７を設け、蒸気孔３７から少し蒸気を排出することで、食品容器３３内に蒸気の流れを作り、食品３５に対する蒸気による加熱性能を向上させたが、蒸気孔３７を無くし、食品容器３３内に充満した蒸気が多くなると、食品容器３３と蓋３６との隙間から少し蒸気を排出させる構成にしても良い。
【産業上の利用可能性】
【０１１１】
以上のように本発明にかかる加熱調理器は、蒸気発生装置を有する電子レンジ、オーブン電子レンジ、スチーマー等の用途に適用できる。
【符号の説明】
【０１１２】
１  高周波加熱調理器（加熱調理器）
２  加熱室
６  マグネトロン（マイクロ波発生装置）
２０  蒸気発生装置
２１  蒸気噴出口
３０  載置台
３１  開口板
３２  蒸気通路
３３  食品容器
３４  蒸気投入口
３５  食品
４１  開口板孔（載置台開口部）
４４  食品容器孔（載置台開口部）
【図１】
2016099010.tif 000003
【図２】
2016099010.tif 000004
【図３】
2016099010.tif 000005
【図４】
2016099010.tif 000006
【図５】
2016099010.tif 000007
【図６】
2016099010.tif 000008
【図７】
2016099010.tif 000009